(57)【要約】【解決手段】雌部材２は、支持室を有する支持ケース３と、支持室に着脱可能に挿嵌される支持体とを備えている。雄部材１５を雌部材２に嵌め込んだ状態で、雌部材２の支持体の球面状支持面１９と雄部材１５の支持体１６の球面状支持面１８とが互いに接触して雌部材２と雄部材１５とがそれらの支持面１９，１８に沿って相対球面運動を行う。雌部材２の支持体は、皿ばね２１により圧接されてその弾性力を雄部材１５の支持体１６に伝える分割体８と、雄部材１５の支持体１６に伝えられた弾性力により支持ケース３に圧接される分割体７とを備えている。【効果】雄部材１５を雌部材２に対し容易に嵌め込みむことができる。【選択図】図３
2007100925.tif 000002
【特許請求の範囲】
【請求項１】
雌部材の内側に支持面を設けるとともに、雄部材の外側に支持面を設け、この雄部材を雌部材に嵌め込んだ状態でこの雌部材の支持面と雄部材の支持面とを互いに接触させて雌部材と雄部材とを相対運動させる保持具において、この雌部材は、支持室を有する支持ケースと、その支持ケースの支持室に対し挿脱可能に挿嵌される支持体とを備え、この支持体の内側に支持面を設けたことを特徴とする保持具。
【請求項２】
前記雌部材と雄部材とは、この雌部材と雄部材とのうち一方に設定した基準線を回転中心として所定回転角度範囲だけ回転する相対回転運動と、この基準線に対する他方の傾斜角度を変更するように所定傾斜角度範囲だけ傾動する相対傾動運動とを行うことを特徴とする請求項１に記載の保持具。
【請求項３】
前記雌部材の支持面と雄部材の支持面とはそれぞれ球面形状をなし、この雌部材と雄部材とはそれらの支持面に沿って所定回転角度範囲だけ回転する相対回転運動を行うことを特徴とする請求項１に記載の保持具。
【請求項４】
前記雌部材の支持体は複数に分割された分割体を備え、この各分割体に支持面を形成したことを特徴とする請求項１または請求項２または請求項３に記載の保持具。
【請求項５】
前記雄部材は外側に球面形状の支持面を有する支持体を備え、前記雌部材の支持体はこの雄部材の支持体を挟持するように複数に分割された分割体を備え、この各分割体に支持面を形成し、この雄部材の支持体または雌部材の支持体を圧接してこの雌部材の支持体の分割体をこの雄部材の支持体を介して支持ケースに圧接するばねを備えたことを特徴とする請求項３に記載の保持具。
【請求項６】
前記雌部材の支持体は、前記ばねにより圧接されてそのばねの弾性力を前記雄部材の支持体に伝える第一の分割体と、この雄部材の支持体に伝えられた弾性力により支持ケースに圧接される第二の分割体とを備えていることを特徴とする請求項５に記載の保持具。
【請求項７】
前記雌部材の支持体は樹脂により成形されていることを特徴とする請求項１から請求項６のうちいずれかの請求項に記載の保持具。
【発明の詳細な説明】
【技術分野】
【０００１】
本発明は、雄部材を雌部材に嵌め込んだ状態でこの雌部材の支持面と雄部材の支持面とを互いに接触させて雌部材と雄部材とを相対運動させる保持具に関するものである。
【背景技術】
【０００２】
従来、下記特許文献１では、雌部材（当接部材９）の内側に球状支持面が設けられているとともに、雄部材（螺杆５）の球体部（係合突起８）の外側に球状支持面が設けられ、この雄部材が雌部材に嵌め込まれた状態でこの雌部材の支持面と雄部材の支持面とが互いに接触して雌部材と雄部材とが相対運動する。
【特許文献１】実開昭６２−１０００４４号公報
【発明の開示】
【発明が解決しようとする課題】
【０００３】
上記特許文献１では、雌部材（当接部材９）の内側に球状支持面が直接設けられているため、雄部材（螺杆５）の球体部（係合突起８）を雌部材に嵌め込むことが難しい。そこで、雌部材をゴム等の軟質材により成形して雄部材の球体部を雌部材に嵌め込み易くする必要がある。しかし、雌部材を軟質材により成形すると、雌部材が変形して雄部材の球体部が雌部材から抜け落ち易くなるとともに、雌部材が動いて不安定になる。
【０００４】
この発明は、雄部材を雌部材に嵌め込み易くすることを目的としている。
【課題を解決するための手段】
【０００５】
後記実施形態の図面（図１〜４に示す第１実施形態、図５〜７に示す第２実施形態、図８〜９に示す第３実施形態）の符号を援用して本発明を説明する。
請求項１の発明にかかる保持具は、第１〜３実施形態に対応し、下記のように構成されている。
【０００６】
この保持具１においては、雌部材２の内側に支持面１９を設けるとともに、雄部材１５の外側に支持面１８を設け、この雄部材１５を雌部材２に嵌め込んだ状態でこの雌部材２の支持面１９と雄部材１５の支持面１８とを互いに接触させて雌部材２と雄部材１５とを相対運動させている。この雌部材２は、支持室１３を有する支持ケース３と、その支持ケース３の支持室１３に対し挿脱可能に挿嵌される支持体６とを備えている。この支持体６の内側に支持面１９を設けている。
【０００７】
請求項１の発明では、雌部材２において支持面１９を有する支持体６を支持ケース３の支持室１３に対し挿脱することができるので、支持ケース３の支持室１３から支持体６を離脱してその支持体６の支持面１９を雄部材１５の支持面１８に接触させた状態で、この支持体６及び雄部材１５を一つにまとめて支持ケース３の支持室１３に挿嵌することができる。また、このような接触状態で一つにまとまった支持体６及び雄部材１５を支持ケース３の支持室１３から離脱させ、雄部材１５の支持面１８から支持体６の支持面１９を離すことができる。そのため、雄部材１５の支持面１８及び雌部材２の支持面１９の形態に左右されずに雄部材１５を雌部材２に対し容易に嵌め込みむことができる。
【０００８】
請求項１の発明を前提とする請求項２の発明（第１〜３実施形態に対応）において、前記雌部材２と雄部材１５とは、この雌部材２と雄部材１５とのうち一方２に設定した基準線Ｑを回転中心として所定回転角度範囲だけ回転する相対回転運動と、この基準線Ｑに対する他方１５の傾斜角度θを変更するように所定傾斜角度範囲だけ傾動する相対傾動運動とを行う。
【０００９】
請求項１の発明を前提とする請求項３の発明（第１〜３実施形態に対応）において、前記雌部材２の支持面１９と雄部材１５の支持面１８とはそれぞれ球面形状をなし、この雌部材２と雄部材１５とはそれらの支持面１９，１８に沿って所定回転角度範囲だけ回転する相対回転運動を行う。
【００１０】
請求項２〜３の発明では、雌部材２と雄部材１５とを三次元的に相対運動させることができる。
請求項１または請求項２または請求項３の発明を前提とする請求項４の発明（第１〜３実施形態に対応）において、前記雌部材２の支持体６は複数に分割された分割体７，８，２５を備え、この各分割体７，８，２５に支持面１９を形成している。請求項４の発明では、雄部材１５を雌部材２に対しより一層容易に嵌め込みむことができる。
【００１１】
請求項３の発明を前提とする請求項５の発明（第１，３実施形態に対応）において、前記雄部材１５は外側に球面形状の支持面１８を有する支持体１６を備え、前記雌部材２の支持体６はこの雄部材１５の支持体１６を挟持するように複数に分割された分割体７，８，２５を備え、この各分割体７，８，２５に支持面１９を形成し、この雄部材１５の支持体１６または雌部材２の支持体６を圧接してこの雌部材２の支持体６の分割体７，８，２５をこの雄部材１５の支持体１６を介して支持ケース３に圧接するばね２１を備えている。請求項５の発明では、ばね２１により、雌部材２の支持体６と雄部材１５の支持体１６との間のがた付きを防止して雌部材２と雄部材１５とのうち一方を他方に対し確実に保持することができる。
【００１２】
請求項５の発明を前提とする請求項６の発明（第１実施形態に対応）において、前記雌部材２の支持体６は、前記ばね２１により圧接されてそのばね２１の弾性力を前記雄部材１５の支持体１６に伝える第一の分割体８と、この雄部材１５の支持体１６に伝えられた弾性力により支持ケース３に圧接される第二の分割体７とを備えている。例えば、第一の分割体８と第二の分割体７とは、雄部材１５の支持体１６で球面形状の支持面１８の中心となる中心線Ｐの方向の両側でそれぞれ、その中心線Ｐに直交する方向で雄部材１５の支持体１６の両側に配置されて雄部材１５の支持体１６を挟持している。請求項６の発明では、ばね２１の弾性力が雄部材１５の支持体１６に対し直接付与されないため、雌部材２の支持体６に対し雄部材１５の支持体１６を円滑に相対運動させることができる。
【００１３】
請求項１から請求項６のうちいずれかの請求項の発明を前提とする請求項７の発明（第１〜３実施形態に対応）において、前記雌部材２の支持体６は樹脂により成形されている。請求項７の発明では、樹脂による型成形により、支持面１９を有する支持体６を容易に設けることができる。また、樹脂の選択により、雌部材２の支持体６に対する雄部材１５の滑りを良くすることができる。
【発明の効果】
【００１４】
本発明は、雄部材１５を雌部材２に嵌め込んでそれらを相対運動させる保持具１において、雄部材１５を雌部材２に対し容易に嵌め込みむことができる。
【発明を実施するための最良の形態】
【００１５】
まず、本発明の第１実施形態にかかる保持具について図１〜４を参照して説明する。
図１（ｂ）に示す保持具１において雌部材２は、図１（ａ）に示すように、ケース本体４と蓋５とからなる金属製の支持ケース３と、四つの分割体７，８からなる樹脂製の支持体６とを備えている。この支持ケース３のケース本体４においては、図３に示すように、円筒状の周壁９の頭端部９ａ及び尻端部９ｂのうち、頭端部９ａの内周にフランジ１０が形成され、そのフランジ１０の内側と尻端部９ｂの内側とにそれぞれ開放部１１，１２が形成されている。この支持ケース３の蓋５はこのケース本体４の尻端部９ｂ側の開放部１２を塞ぐようにその尻端部９ｂに螺着されている。この支持ケース３内には周壁９とフランジ１０と蓋５との間で支持室１３が形成されている。この支持室１３で周壁９の内周には円形状の受け面１４が形成されている。
【００１６】
図１（ｂ）に示す保持具１において雄部材１５は、図１（ａ）に示すように、金属により形成され、球状の支持体１６と、この支持体１６の頭部１６ａ側から突出する連結部１７とからなる。図３に示すように、この支持体１６の外側にはこの頭部１６ａとこの連結部１７に対する反対側になる尻部１６ｂとを通る中心線Ｐを中心とする球面形状の支持面１８が形成されている。前記雌部材２の支持体６において各分割体７，８はポリアセタールなどの合成樹脂により円弧状に成形され、この各分割体７，８の内側には雄部材１５の支持体１６の支持面１８に合わせて球面形状をなす支持面１９が形成されているとともに、この各分割体７，８の外側には前記ケース本体４の受け面１４に合わせて円弧状をなす受け面２０が形成されている。
【００１７】
前記雌部材２の各分割体７，８は、前記中心線Ｐの方向の両側でそれぞれ、その中心線Ｐに直交する方向で雄部材１５の支持体１６の両側に配置され、この各分割体７，８の支持面１９が雄部材１５の支持面１８に接触した状態で、雄部材１５の支持体１６を挟持するようにその支持体１６に支持されている。その雄部材１５及び各分割体７，８が一つにまとまった状態では、中心線Ｐの方向の両側で互いに隣接する両分割体７，８間に隙間Ｇが生じる。その雄部材１５及び各分割体７，８は一つにまとまった状態で雌部材２のケース本体４の支持室１３内に尻端部９ｂ側の開放部１２から着脱可能に挿嵌され、ケース本体４の受け面１４に各分割体７，８の受け面２０が接触するとともに、雄部材１５の連結部１７がこのケース本体４の支持室１３内から頭端部９ａ側の開放部１１を通って突出している。
【００１８】
前記ケース本体４の支持室１３内には尻端部９ｂ側の開放部１２から複数の皿ばね２１が挿入されている。この各皿ばね２１は、ケース本体４で頭端部９ａ側の開放部１１と尻端部９ｂ側の開放部１２とを結ぶ方向に沿う基準線Ｑの方向で積層され、前記蓋５に隣接する一枚の皿ばね２１がその蓋５に支えられるとともに、雄部材１５の支持体１６の尻部１６ｂに隣接する一枚の皿ばね２１が尻部１６ｂ側の両分割体８に当接して、各皿ばね２１に弾性力が生じる。その弾性力により、皿ばね２１が尻部１６ｂ側の両分割体８に圧接される。その圧接力は、尻部１６ｂ側の両分割体８の支持面１９から雄部材１５の支持体１６の支持面１８に伝えられるとともに、雄部材１５の支持体１６の支持面１８から頭部１６ａ側の両分割体７の支持面１９に伝えられる。その際、各分割体７，８の受け面２０がケース本体４の受け面１４に圧接される。
【００１９】
図２（ａ）（ｂ）に示すように、前記雄部材１５は、前記雌部材２に対し、前記基準線Ｑを回転中心とする回転方向Ｘへ所定回転角度範囲（例えば３６０度の回転角度範囲であって任意に変更可能な角度）だけ回転する相対回転運動と、この基準線Ｑに対する中心線Ｐの傾斜角度θを変更するように所定傾斜角度範囲（例えば１５度の傾斜角度範囲であって任意に変更可能な角度）だけ傾動する相対傾動運動とを組み合わせた球面運動を雌部材２及び雄部材１５の支持面１９，１８に沿って行う。
【００２０】
このように構成された保持具１においては、図４に示すように、雌部材２の蓋５が背板２２に螺着されるとともに、雄部材１５の連結部１７がブラケット２３に螺着され、このブラケット２３にパソコンのディスプレイなどの被保持部材２４が取り付けられる。この被保持部材２４は背板２２に対し保持具１及びブラケット２３を介して前述した球面運動を所定範囲で行うことができる。
【００２１】
次に、本発明の第２実施形態にかかる保持具について第１実施形態との相違点を中心に図５〜７を参照して説明する。
この第２実施形態にかかる保持具１においては、雌部材２が下記のように変更されている。第１実施形態では支持体６が四分割されて雄部材１５の支持体１６を挟持する頭部１６ａ側の両分割体７と尻部１６ｂ側の両分割体８とに区分されているが、第２実施形態ではこの両分割体７と両分割体８とに区分せずにそれらを一体化した両分割体２５が支持体６として雄部材１５の支持体１６を挟持している。第２実施形態では、第１実施形態の各皿ばね２１が省略されて雄部材１５の支持体１６の尻部１６ｂが蓋５に直接支えられ、ケース本体４に形成された切込み２６を締め込むことにより、ケース本体４の受け面１４と雌部材２の両分割体２５の受け面２０とが互いに圧接されているとともに、雌部材２の両分割体２５の支持面１９と雄部材１５の支持体１６の支持面１８とが互いに圧接されている。
【００２２】
次に、本発明の第３実施形態にかかる保持具について第１実施形態との相違点を中心に図８〜９を参照して説明する。
この第３実施形態にかかる保持具１においては、雌部材２が下記のように変更されている。第２実施形態と同様に両分割体２５が支持体６として雄部材１５の支持体１６を挟持している。各皿ばね２１が平座金２７を介して雄部材１５の支持体１６の尻部１６ｂを圧接し、その圧接力は雄部材１５の支持体１６の支持面１８から両分割体２５の支持面１９に伝えられる。その際、各分割体２５の受け面２０がケース本体４の受け面１４に圧接される。
【００２３】
前記実施形態以外に下記のように構成してもよい。
＊  雌部材２の支持体６において二分割した分割体７，８，２５を設けたが、それらを三以上に分割する。
【００２４】
＊  雌部材２の支持体６において互いに分離して二分割した分割体７，８，２５を設けたが、二分割した分割体７，８，２５を薄肉部により互いに連結して開閉可能する。
＊  皿ばね２１に代えてコイルばねを利用する。
【図面の簡単な説明】
【００２５】
【図１】（ａ）は第１実施形態にかかる保持具を示す分解斜視図であり、（ｂ）は同じく組付斜視図である。
【図２】（ａ）は第１実施形態にかかる保持具を示す側面図であり、（ｂ）は同じく正面図である。
【図３】第１実施形態にかかる保持具を示す断面図である。
【図４】第１実施形態にかかる保持具の使用状態を示す側面図である。
【図５】（ａ）は第２実施形態にかかる保持具を示す側面図であり、（ｂ）は同じく正面図である。
【図６】（ａ）は第２実施形態にかかる保持具を示す分解斜視図であり、（ｂ）は同じく組付斜視図である。
【図７】第２実施形態にかかる保持具を示す断面図である。
【図８】第３実施形態にかかる保持具を示す断面図である。
【図９】（ａ）は第３実施形態にかかる保持具を示す分解斜視図であり、（ｂ）は同じく組付斜視図である。
【符号の説明】
【００２６】
１…保持具、２…雌部材、３…雌部材の支持ケース、６…雌部材の支持体、７…雌部材の第二の分割体、８…雌部材の第一の分割体、１３…支持ケースの支持室、１５…雄部材、１６…雄部材の支持体、１８…雄部材の支持面、１９…分割体の支持面、２１…皿ばね、２５…雌部材の分割体、Ｑ…基準線。
【図１】
2007100925.tif 000003
【図２】
2007100925.tif 000004
【図３】
2007100925.tif 000005
【図４】
2007100925.tif 000006
【図５】
2007100925.tif 000007
【図６】
2007100925.tif 000008
【図７】
2007100925.tif 000009
【図８】
2007100925.tif 000010
【図９】
2007100925.tif 000011